(57)【要約】【課題】吸湿部材周りの構成の簡略化、省スペース化を実現した加湿装置を提供するものである。【解決手段】空気中の水分を吸着する吸湿部材１３と、前記吸湿部材１３から水分を脱離させるシート状の加熱手段（図示せず）とを備え、前記吸湿部材１３の下方に前記加熱手段（図示せず）を配設するとともに、前記吸湿部材１３は、ハニカム部材を水平方向と垂直方向とに向けて交互に積層（１３ａ、１３ｂ）して形成してなるもので、吸湿材１３を担持したハニカム部材を用い、前記吸湿部材の下面全面に密着するようにシート状の加熱手段を配置することにより、吸湿部材周りの構成の簡略化、省スペース化が図れるようにしたものである。【選択図】図３
2006002994.tif 000002
【特許請求の範囲】
【請求項１】
空気中の水分を吸着する吸湿部材と、空気を取り入れる吸着側送風機と、前記吸湿部材から水分を脱離させるシート状の加熱手段とを備え、前記吸湿部材の下方に前記加熱手段を配設するとともに、前記吸湿部材は、ハニカム部材を水平方向と垂直方向とに向けて交互に積層して形成してなる加湿装置。
【発明の詳細な説明】
【技術分野】
【０００１】
本発明は、加湿機能に関するものである。
【背景技術】
【０００２】
従来、加湿機能を具備した空気調和機は、室外側空気中の水蒸気を吸着側空間において、吸湿材を担持したハニカム構造かつ円板形状の回転素子（以後ロータと記述）に吸着側送風機により室外側空気を取り込みその中に含まれている水分を吸着した後、ロータを回転にさせてロータの一部を覆うがごとく配設され、前記吸着側の空間とは分離されかつ別の送風機とヒータを具備する脱離側空間に位置している期間において脱離側に設置された送風機からの空気をヒータにより過熱したのち前記ロータを通過させて吸湿材の水分を水蒸気として脱離させ、前記水蒸気を含む高温高湿空気を室内側空間へ搬送し、室内側の空間を加湿していた（例えば、特許文献１参照）。
【特許文献１】特開２００２−３１７９７０号公報
【発明の開示】
【発明が解決しようとする課題】
【０００３】
しかしながら、前記従来の構成は、室外側空気中の水蒸気を吸着するための吸着側空間と吸湿したロータから水分を脱離するための脱離側空間に仕切るとともに、吸着側送風機と脱離側送風機をそれぞれ設ける構成とし、前記ロータを回転させるための機構を有するために、構成が複雑になりかつ前記ロータ周りの部材が煩雑になるとともに前記ロータが中心軸に対して回転するために円板形状の構成が不可欠であり、自由な形状が選択できずコンパクトな構成を実現できなかった。
【０００４】
本発明は上記課題を解決するもので、吸湿部材周りの構成の簡略化、省スペース化を実現した加湿装置を提供するものである。
【課題を解決するための手段】
【０００５】
従来の課題を解決するために、本発明の加湿装置は、空気中の水分を吸着する吸湿部材と、空気を取り入れる吸着側送風機と、前記吸湿部材から水分を脱離させるシート状の加熱手段とを備え、前記吸湿部材の下方に前記加熱手段を配設するとともに、前記吸湿部材は、ハニカム部材を水平方向と垂直方向とに向けて交互に積層して形成してなるもので、吸湿材を担持したハニカム部材を用い、前記吸湿部材の下面全面に密着するようにシート状の加熱手段を配置することにより、吸湿部材周りの構成の簡略化、省スペース化が図れるようにしたものである。
【発明の効果】
【０００６】
本発明によれば、吸湿部材周りの構成の簡略化、省スペース化を実現した加湿装置を提供できる。
【発明を実施するための最良の形態】
【０００７】
第１の発明は、空気中の水分を吸着する吸湿部材と、空気を取り入れる吸着側送風機と、前記吸湿部材から水分を脱離させるシート状の加熱手段とを備え、前記吸湿部材の下方に前記加熱手段を配設するとともに、前記吸湿部材は、ハニカム部材を水平方向と垂直方向とに向けて交互に積層して形成してなるもので、吸湿材を担持したハニカム部材を用い、前記吸湿部材の下面全面に密着するようにシート状の加熱手段を配置することにより、吸湿部材周りの構成の簡略化、省スペース化が図れるようにしたものである。
【０００８】
以下、本発明の実施の形態について、図面を参照しながら説明する。なお、この実施の形態によって本発明が限定されるものではない。
【０００９】
（実施の形態１）
図１は、本発明の第１の実施形態における加湿装置を具備してなる空気調和機の断面構成図を示すものである。図１において、空気調和機は、室外に配置された加湿装置１を具備してなる室外機２と、室内に配置された室内機３とを備えている。室内機３には、室内熱交換器４と室内ファン（図示せず）とが配置されている。また、加湿装置１と室内機３とは加湿空気を室内空間に送るために加湿空気の搬送管５により接続されている。室外機２には、圧縮機６と室外熱交換器７と膨張弁８と四方弁９が配設され、室外ファン１０は室外熱交換器７と室外ファン１０とで構成される室外ファン設置空間１１に配置されている。
【００１０】
圧縮機６と四方弁９と室内熱交換器４と膨張弁８と室外熱交換器７とは冷媒配管１２により接続され、周知のごとく冷媒が循環する冷凍サイクルが形成されており、四方弁９の切り換えにより冷房運転と暖房運転とが切り換わる。暖房運転時には、圧縮機６より吐出された高温ガス冷媒が四方弁９を介して室内熱交換器４に送られ、凝縮された高圧液冷媒は膨張弁８を介して減圧されて室外熱交換器７に送られ、四方弁９を介して圧縮機６に戻される。
【００１１】
加湿装置１は、静止式の吸湿部材１３と、吸湿部材１３の上側に脱離側空間１４、下部には、加熱手段であるヒータ１５が設けられ、室外空気を吸い込むための吸入口１６が設置されている。さらに、前記脱離側空間１４には高温、高湿の空気を吸い込み、前記室内側の空間へ搬送するための脱離側送風機１７が設けられている。また、吸着側送風機１８が前記吸湿部材１３と並んで配設され、吸着側送風機の出口には吹き出し口１９が設けられている。
【００１２】
以上のように構成された加湿装置について、以下その動作、作用を説明する。
【００１３】
加湿装置１において、吸着動作時は前記吸着側送風機１８を動作させて、前記吸入口１６から室外の空気を吸い込ませ、前記吸湿部材を水平方向に通過させることにより、空気中の水分を吸着させた後、前記吸着側送風機１８に吸引し吹き出し口１９から吐き出させる。
【００１４】
また、脱離動作時は吸着側送風機１８を停止し、前記加湿部材１３の下面全面に配設したヒータ１５に通電し、前記加湿部材１３を過熱して、脱離側送風機１７を運転する。このときは、前記吸入口１６から取り込まれた空気が前記吸湿部材１３を通過する間に加熱されるとともに、前記吸湿部材１３が下面より加熱され、前記吸湿部材１３中にトラップされている水分が脱離して、高温、高湿の空気になって脱離側空間１４に達する。その空気は脱離側送風機１７により搬送管５に送り込まれ室内空間に吐き出される。
【００１５】
また、前記吸湿部材１３は、水平方向のハニカム部材１３ａと垂直方向のハニカム部材１３ｂが交互の積層、つまり折り曲げられたハニカム部材の折り方向が、鉛直方向に対して水平方向のものと垂直方向のものとを交互に積層しているために、水分を吸着する時、水分を脱離する時もハニカム構造の穴間が互いに連通しているために吸湿部材全面に空気が出入りできるため前記動作が可能となっている。本発明の加湿装置はこの吸着動作と脱離動作とを交互に行うことにより、所定の量の加湿空気を室内空間に送り込み室内空間を加湿する構成としたものである。
【００１６】
以上のように、本実施の形態においては、前記吸湿部材１３を水平方向のハニカム部材
１３ａと垂直方向のハニカム部材１３ｂが交互の積層し、水分を吸着する時、水分を脱離する時もハニカム構造の穴間が互いに連通させる構造しているために、吸湿部材全面に空気が出入りできるようにして、簡略な構成を実現できるようにしたものである。
【図面の簡単な説明】
【００１７】
【図１】本発明の実施の形態１における空気調和機の斜視図
【図２】同加湿装置の斜視図
【図３】（ａ）同吸湿部材の組立斜視図（ｂ）同吸湿部材の分解斜視図
【符号の説明】
【００１８】
１  加湿装置
２  室外機
３  室内機
４  室内熱交換器
５  搬送管
６  圧縮機
７  室外熱交換器
８  膨張弁
９  四方弁
１０  室外ファン
１１  室外ファン設置空間
１２  冷媒配管
１３  吸湿部材
１４  脱離側空間
１５  ヒータ
１６  吸入口
１７  脱離側送風機
１８  吸着側送風機
１９  吹き出し口
【図１】
2006002994.tif 000003
【図２】
2006002994.tif 000004
【図３】
2006002994.tif 000005